(57)【特許請求の範囲】
【請求項１】
サイズの異なる複数種類の帳票類を挿入可能とされた帳票類挿入口と、
この帳票類挿入口の前方に突出して設けられ挿入される帳票類の下面をガイドする下面ガイド部、および帳票類の一側端面をガイドする側端面ガイド部を有する挿入ガイド手段と、
駆動開始により前記帳票類挿入口へ挿入された帳票類を挟持して搬送する搬送手段と、
前記搬送手段の直前位置に設けられ帳票類の挿入を検知する挿入検知手段と、
前記挿入ガイド手段の帳票類挿入方向の異なる位置に設けられ、帳票類が前記側端面ガイド部に寄せられていることを検知する少くとも２個の片寄せ検知手段と、
駆動される前記搬送手段により帳票類が最初に挟持される部位より若干下流側位置に設けられ帳票類を検知する搬送検知手段と、
前記片寄せ検知手段の少くとも２個が帳票類の側端面ガイド部へ寄せられていることを検知しかつ前記挿入検知手段が帳票類の挿入を検知したとき前記搬送手段の駆動を開始させ、その後、前記搬送検知手段が帳票類を検知するまでの間に前記片寄せ検知手段の何れかが帳票類の片寄せを検知しなくなったときは前記搬送手段を逆転して帳票類を返却させる取込制御手段と、
を具備することを特徴とする帳票類取込み装置。
【請求項２】
前記片寄せ検知手段が３個以上設けられ、挿入される帳票類の種類により２個の片寄せ検知手段を選択的に使用するようにされている請求項１記載の帳票類取込み装置。
【請求項３】
前記片寄せ検知手段は、前記挿入ガイド手段の下面ガイド部と側端面ガイド部との交差部近傍位置にそれぞれ設けられたセンサ孔と、これらセンサ孔を通して光軸が前記下面ガイド部と側端面ガイド部との間を斜めに通過するよう配設された投・受光センサとで構成されている請求項１または２記載の帳票類取込み装置。
【発明の詳細な説明】
【０００１】
【発明の属する技術分野】
本発明は、例えば銀行等の金融機関に設置され、公共料金等の払込取引を自動的に行う自動取引装置に適用して好適な帳票類取込み装置に関する。
【０００２】
【従来の技術】
従来、公共料金等の払込取引を自動的に行う自動取引装置は、サイズの異なる帳票類を取扱う関係上、帳票類の挿入口や挿入口へのガイド手段をその帳票類のサイズに合った所定の幅に設定しておくことができず、そのため前記挿入口は処理対象となる最も大きい帳票類の挿入が可能な大きさに設定され、その挿入口の手前側には図８（Ａ）、（Ｂ）に示すように挿入される帳票類ａの下面をガイドする下面ガイド部ｂと一側端面をガイドする側端面ガイド部ｃとが設けられ、操作案内やシールなどの情報伝達手段により帳票類ａを前記下面ガイド部ｂ上に載せた状態で側端面ガイド部ｃへ片寄せつつ挿入口ｄへ挿入するよう促している。
上記挿入口ｄの内部には、帳票類ａが挿入されたことを検知する一対のセンサｅ，ｅが帳票類ａの挿入方向イに対し直角方向に互いに間隔をおいて配設されており、双方のセンサｅ，ｅが同時に帳票類ａの挿入を検知したとき帳票類ａを挟持して搬送する搬送ローラ、ベルト等からなる搬送手段ｆが駆動され、帳票類ａを挟持搬送して取込み、所定の処理を行うようになっている。
【０００３】
【発明が解決しようとする課題】
しかるに上記従来の装置では、操作案内やシールなどによる表示によって帳票類の正しい挿入の仕方を促してはいるものの、側端面ガイド部ｃに片寄らせない状態で挿入した場合であっても一対のセンサｅ，ｅが同時に帳票類ａの挿入を検知すれば搬送手段ｆが駆動されて帳票類ａを取込んでしまい、そのため帳票類ａが斜め姿勢で取込まれたりしてデータの読取り位置がずれて処理し得なかったり、あるいは帳票類ａへの印字位置や押印位置がずれてしまうなどの処理不良が発生するという問題点があった。
【０００４】
また帳票類ａは通常長手方向に挿入されるようになっているため、帳票類ａの挿入を検知する一対のセンサｅ，ｅは帳票類ａの短手方向２個所を検知することになり、それ故センサ間の間隔を大きくとることができない関係上、帳票類ａの傾きを厳密に検知することができず、傾いたまま取込んでしまうことが避けられなかった。
【０００５】
【課題を解決するための手段】
本発明は、帳票類の側端面が正規の挿入方向に対し平行に挿入されない限り取込むことがなく、帳票類の処理不良を確実に防止することを課題としてなされたもので、サイズの異なる複数種類の帳票類を挿入可能とされた帳票類挿入口と、この帳票類挿入口の前方に突出して設けられ挿入される帳票類の下面をガイドする下面ガイド部、および帳票類の一側端面をガイドする側端面ガイド部を有する挿入ガイド手段と、駆動開始により前記帳票類挿入口へ挿入された帳票類を挟持して搬送する搬送手段と、前記搬送手段の直前位置に設けられ帳票類の挿入を検知する挿入検知手段と、前記挿入ガイド手段の帳票類挿入方向の異なる位置に設けられ、帳票類が前記側端面ガイド部に寄せられていることを検知する少くとも２個の片寄せ検知手段と、駆動される前記搬送手段により帳票類が最初に挟持される部位より若干下流側位置に設けられ帳票類を検知する搬送検知手段と、前記片寄せ検知手段の少くとも２個が帳票類の側端面ガイド部へ寄せられていることを検知しかつ前記挿入検知手段が帳票類の挿入を検知したとき前記搬送手段の駆動を開始させ、その後、前記搬送検知手段が帳票類を検知するまでの間に前記片寄せ検知手段の何れかが帳票類の片寄せを検知しなくなったときは前記搬送手段を逆転して帳票類を返却させる取込制御手段とを具備することを特徴とする。
【０００７】
また前記片寄せ検知手段を３個以上設け、挿入される帳票類の種類により２個の片寄せ検知手段を選択的に使用するようにしてもよい。これによれば長さの異なる帳票類をその帳票類のサイズに最も適した位置の片寄せ検知手段により片寄せを検知することができ、より正確に片寄せ状態を検知することが可能となる。
【０００８】
さらに前記片寄せ検知手段を、前記挿入ガイド手段の下面ガイド部と側端面ガイド部との交差部近傍位置にそれぞれ設けられたセンサ孔と、これらセンサ孔を通して光軸が前記下面ガイド部と側端面ガイド部との間を斜めに通過するよう配設された投・受光センサとで構成することがスペースをとることなく簡単に構成することができるとともに帳票類の側端部が多少浮上がった状態におかれていても確実に検知することができて好ましい。
【０００９】
【発明の実施の形態】
以下、本発明を図面に示す実施の形態を参照して説明する。
【００１０】
図１は本発明を自動取引装置に適用した場合の一実施形態の外観を示すもので、装置本体１の上方内部に帳票類処理部２が内装され、装置本体１の前面中段部１ａには紙幣入金口３、釣銭紙幣の出金口４、シャッタ５により開閉される硬貨入出金口６、タッチパネル方式による操作表示部７等が設けられており、前記帳票類処理部２の前面側の装置本体１には帳票類を挿入するための挿入口８、その上方位置に返却口９がそれぞれ開口されている。
【００１１】
上記挿入口８の外部には本発明に直接関係する挿入ガイド手段１０が水平方向に突設されており、この挿入ガイド手段１０は、帳票類の下面をガイドする下面ガイド部１１と、帳票類の一側端面（図では右側端面）をそわせてガイドする突堤状の側端面ガイド部１２とを有している。
【００１２】
図２は上記帳票類処理部２の内部構造を示す略示断面図で、前記挿入ガイド手段１０の下面ガイド部１１の内端位置に取込搬送手段１３としての駆動ローラ１４およびこれと協働する従動ローラ１５が配設され、この取込搬送手段１３の前部位置の上部には前記返却口９に帳票類を搬送するための一対のベルトからなる返却搬送路１６が配設されており、この返却搬送路１６と前記取込搬送手段１３との間には利用者に返却する用紙の返却時にソレノイド１７により返却搬送路１６側に切換える切換爪１８が設けられている。
【００１３】
上記取込搬送手段１３に続いて上下対をなすローラ群により搬送路２０が形成され、この搬送路２０の始端位置、すなわち前記取込搬送手段１３の直後の位置にはソレノイド２１により切換えられる切換爪２２が設けられ、処理済の帳票類の返却しない部分を収納部２３へ収納するため、返却時に収納部２３へ至る収納搬送路２４への切換えを行うようになっている。
【００１４】
前記搬送路２０には、光学的に全面のイメージを読取り、払込票（帳票類）の場合その種類によって予め定められている位置から必要な情報を認識するためのＯＣＲユニットからなる読取手段２５、所定の位置で払込票を切断するためのロータリーカッタ２６、日付等の変動文字類を印字するためのプリンタ２７、固定文字類をソレノイド２８により押印するスタンプ２９の順に該搬送路２０の上流側から配設され、上記プリンタ２７およびスタンプ２９は紙面に対し前後方向（払込票の挿入方向に対し直角方向）にスライドガイド３０，３０にそって移動可能な枠体３１に支持され、払込票の種類によって予め決まっている押印位置や印字位置へ移動して押印および印字を行なうことができるようになっている。
【００１５】
前記搬送路２０の末端は下方へ屈曲され、さらにガイド３２により前記収納部２３の下部のスペース３３に向けられていて、払込票が長い場合にこのスペース３３に一時的に退避させることができるようになされている。
【００１６】
前記各部の駆動は、前記取込搬送手段１３の駆動ローラ１４を含む前記ロータリーカッタ２６より上流側はモータＭ1 で、上記ロータリーカッタ２６より後流側の搬送系はモータＭ2 で、収納搬送路２４はモータＭ3 で、ロータリーカッタ２６はモータＭ4 で、さらに前記プリンタ２７およびスタンプ２９の枠体３１の移動をモータＭ5 でそれぞれ駆動されるように構成されており、モータＭ1 、Ｍ2 は正逆転駆動される。
【００１７】
なお、図２において符号３４は、収納部２３に挿入される払込票の一部（回収すべき通知書部分）を整然と収納させるための押え片である。
【００１８】
本発明においては、前記挿入ガイド手段１０の側端面ガイド部１２にそって帳票類挿入方向の異なる位置に片寄せ検知手段を構成する３個のセンサＳ1 ，Ｓ2 ，Ｓ3 が配設され、前記取込搬送手段１３の直前位置に挿入検知手段を構成するセンサＳ4 が配設され、さらに前記搬送路２０の始端付近には搬送検知手段としてのセンサＳ5 が配設されており、いずれもフォトセンサが用いられている。
【００１９】
前記挿入ガイド手段１０に設けられるセンサＳ1 〜Ｓ3 は、図３にその一つの部分の拡大断面を示すように、挿入ガイド手段１０の下面ガイド部１１と側端面ガイド部１２との交差部近傍位置でその下面ガイド部１１と側端面ガイド部１２との間を同一軸線をもって斜めに貫通するようセンサ孔３５，３６が設けられ、下面ガイド部１１の下面に投光センサ３７が、側端面ガイド部１２内の空間部内に受光センサ３８がそれぞれ配設され、これら投・受光センサ間の光路Ｌが前記センサ孔３５，３６を通り、この光路Ｌが下面ガイド部１１上に置かれる払込票４０の側端部を横切るように形成されている。なお上記光路Ｌは水平線に対する角度θを約６０°に設定することが払込票４０の片寄せを検知するうえで好ましい。
【００２０】
図４は本発明が対象とする帳票類の一例として公共料金等の払込票４０の場合を示すもので、横長矩形状を有する用紙が左から「払込通知票」４１、「領収控」４２、「領収証」４３に区別けされ、これらの間にはミシン目等による切取線４４，４５が施されている。
【００２１】
上記「払込通知票」４１には、請求金額欄４６、払込みに必要な情報がコード化されてＯＣＲ文字で印字されているＯＣＲデータ部４７、住所氏名欄４８、領収日付印押印欄４９等が表示され、「領収控」４２には、所定事項記載欄５０、領収日付印押印欄５１等が表示され、さらに「領収証」４３には、請求金額欄５２、住所氏名欄５３、領収日付押印欄５４等が表示されており、切取線４４により切離して「払込通知票」４１、「領収控」４２は取込まれ、「領収証」４３は利用者に返却されるものである。
【００２２】
上記払込票４０の処理についての基本的作用につき説明すると、挿入ガイド手段１０に払込票４０が挿入され、その払込票４０の挿入を挿入検知手段のセンサＳ4 が検知するとモータＭ1 が起動して取込搬送手段１３が駆動し、読取手段２５により払込票全面イメージ情報を読取り、払込票４０の種類によって予め決まっている位置から払込み取引に必要な情報を認識する。そして、正常に払込み処理が行なわれると、プリンタ２７およびスタンプ２９の位置が払込票４０の該当欄４９，５１，５４に整合する位置にモータＭ5 により定められて順次所定の押印がなされ（図４（Ｂ））、押印後搬送路２０が逆転されて切取線４４の位置でロータリーカッタ２６が駆動して切断され（図４（Ｃ））、切断された領収証４３は返却搬送路１６を通じて返却口９へ投出され、領収証以外の部分は収納搬送路２４を通じて収納部２３へ回収される。
【００２３】
上記作用において、挿入ガイド手段１０に払込票４０を挿入したとき図５（Ａ）のように払込票４０の一側端が片寄せ検知手段のセンサＳ1 ，Ｓ2 ，Ｓ3 のすべてを遮光している状態におかれていて、その先端が挿入検知手段のセンサＳ4 を遮光したときは取込搬送手段１３のモータＭ1 が起動し、払込票４０を取込み、ついで図５（Ｂ）のように搬送路２０のセンサＳ5 が払込票４０の進入を検知すると前述の所要の処理が開始される。
【００２４】
図５（Ｃ）または（Ｄ）のように払込票４０の一側端が片寄せ検知手段のセンサＳ1 〜Ｓ3 のうちの１〜２個が遮光されていないときは仮に先端が挿入検知手段のセンサＳ4 を遮光したとしても取込搬送手段１３のモータＭ1 は駆動されず、払込票４０を取込まない。また搬送検知手段のセンサＳ5 が払込票４０を検知するまでの間に前記片寄せ検知手段のセンサＳ1 〜Ｓ3 のいずれかが払込票４０の片寄せを検知しなくなったときは前記取込搬送手段１３が逆転して払込票４０を戻し、再挿入を促す。
【００２５】
なお払込票４０が図５（Ａ）のように片寄せ検知手段のすべてのセンサＳ1 〜Ｓ3 を遮光し得る長さを有するときは、中間位置のセンサＳ2 は使用せず、センサＳ1 とＳ3 の２つの遮光を条件として使用する態様としてもよい。または片寄せ検知手段の最奥部のセンサＳ3 を挿入検知手段としてのセンサとして兼用するようにし、センサＳ1 とＳ3 とによる払込票４０の検知により取込搬送手段１３を駆動させるようにしてもよい。
【００２６】
また、図５（Ｅ）、（Ｆ）は払込票４０の挿入方向の長さが比較的短い場合の例であり、このような払込票４０の場合は片寄せ検知手段の最も手前側のセンサＳ1 を使用せずに、奥側の２つのセンサＳ2 とＳ3 により払込票４０の片寄せを検知するようになっている。
【００２７】
図６は制御ブロック図を示すもので、自動取引装置の紙幣入出金部６０、硬貨入出金部６１に所定の金額の貨幣が入金され、操作部７により所定の操作がなされると、主制御部６２から取込制御手段６３に取込み指令が出され、前述のセンサＳ1 〜Ｓ5 、ソレノイド１７，２１、モータＭ1 〜Ｍ5 、読取手段２５、プリンタ２７、スタンプ用ソレノイド２８がそれぞれ制御される。
【００２８】
図７はフローチャートを示すもので、スタート後、帳票類の種類選択（Ｓｔ1 ）し、選択後使用するセンサを設定（Ｓｔ2 ）する。こうして帳票類としての払込票４０を挿入ガイド手段１０に挿入すると、使用するセンサがすべて遮光されているか否かが判断され（Ｓｔ3 ）、すべて遮光されていれば取込搬送手段１３が駆動（Ｓｔ4 ）されて取込まれ、すべてのセンサが遮光されていなければ取込まれず、挿入操作をやり直す。
【００２９】
取込み開始後、再度使用センサのすべてが遮光されているか否かが判断され（Ｓｔ5 ）、遮光されていれば続いて搬送検知手段のセンサ（Ｓ5 ）が遮光されたか否かが判断され（Ｓｔ6 ）、遮光されていれば正常な帳票類処理（Ｓｔ7 ）が行われ、上記ステップ（Ｓｔ5 ）で遮光されていないと判断されたときは搬送手段が逆転（Ｓｔ8 ）して返却し（Ｓｔ9 ）、再度の挿入を促す。
【００３０】
所定の処理が終了すると搬送手段が停止し（Ｓｔ10）、１回の取引が終了する（Ｓｔ11）。
【００３１】
【発明の効果】
以上説明したように請求項１記載の発明によれば、帳票類を所定の位置に正しく挿入された場合にのみこれを取込むので、帳票類に記載のデータの読取り位置がずれて処理ができなかったり、あるいは帳票類への印字や押印の位置がずれるなどの処理不良の発生を確実に防止することができる。また、取込み開始時には正常であっても、搬送手段に挟持される際に斜めになった場合などにおいても搬送異常として検知して返却することができ、帳票類の処理不良を未然に防止することができる。
【００３２】
また請求項２に記載の発明によれば、特に挿入方向の長さが異なる帳票類をその帳票類のサイズに最も適した位置の片寄せ検知手段により片寄せを検知することができるので、より正確に片寄せ状態を検知することができる。
【００３４】
また請求項３に記載の発明によれば、片寄せ検知手段を効率よく簡単に構成することができるうえ、帳票類の側端部が多少浮き上がった状態におかれていてもこれを確実に検知することができる効果がある。
【図面の簡単な説明】
【図１】本発明を自動取引装置に適用した場合の一実施形態を示す外観斜視図。
【図２】図１における帳票類処理部の略示断面図。
【図３】図１における挿入ガイド手段に配設される片寄せ検知手段の設置の仕方の一例を示す拡大断面図。
【図４】帳票類の一例としての払込票を示すもので、（Ａ）は処理前の状態、（Ｂ）は処理途中でプリンタ、スタンプが押された状態時、（Ｃ）は処理後領収証が切離された状態の平面図。
【図５】（Ａ）〜（Ｆ）は作用説明図。
【図６】ブロック図。
【図７】フローチャート。
【図８】（Ａ）（Ｂ）は従来の技術を示す説明図。
【符号の説明】
１  装置本体
２  帳票類処理部
３  紙幣入金口
４  釣銭紙幣出金口
６  硬貨入出金口
７  操作表示部
８  帳票類挿入口
９  返却口
１０  挿入ガイド手段
１１  下面ガイド部
１２  側端面ガイド部
１３  取込搬送手段
１６  返却搬送路
１８，２２  切換爪
２０  搬送路
２３  収納部
２４  収納搬送路
２５  読取手段
２６  ロータリーカッタ
２７  プリンタ
２９  スタンプ
３１  枠体
４０  帳票類としての払込票
【図１】
0003830626.tif 000002
【図２】
0003830626.tif 000003
【図３】
0003830626.tif 000004
【図４】
0003830626.tif 000005
【図５】
0003830626.tif 000006
【図６】
0003830626.tif 000007
【図７】
0003830626.tif 000008
【図８】
0003830626.tif 000009